(57)【特許請求の範囲】
【請求項１】
マイコンから出力されるパルス信号をコンデンサで平滑して得られる制御信号をインバータ回路に入力し、この制御信号の電圧に応じてインバータ回路の出力を変更するインバータ装置において、インバータ回路に供給される駆動用電源電圧が所定の電圧以下に低下する前に上記コンデンサに蓄電されている電荷を放電させ、インバータ回路への制御信号の入力を停止させる放電手段を設けたことを特徴とするインバータ装置。
【請求項２】
ＡＣ商用電源を電源として用い、ＡＣ商用電源の電圧が所定の電圧まで低下したことを検知する電圧低下検知手段を設け、ＡＣ商用電源の電圧が所定の電圧まで低下すると上記コンデンサを放電させることを特徴とする請求項１に記載のインバータ装置。
【発明の詳細な説明】
【技術分野】
【０００１】
本発明は、誘導モータなどの付加の作動制御を行うインバータ装置に関する。
【背景技術】
【０００２】
従来のこのインバータ装置はインバータ回路を内蔵しており、負荷に供給する駆動用電源から直流の電力供給を受け、インバータ回路で所定の周波数の交流電力に変換して負荷に供給している。この出力電力の周波数はインバータ回路に入力される制御信号によって制御される。制御信号が直流の場合、制御信号の電圧の高低によって出力電力の周波数が制御される。
【０００３】
制御信号はマイコンなどから出力されるパルス信号をコンデンサで平滑化して直流電圧に変換しインバータ回路に入力される（例えば、特許文献１参照）。すなわち、パルス信号のデューティ比が高くなると制御信号の電圧が高くなり、逆にデューティ比が低くなると制御信号の電圧が低くなる。
【特許文献１】特開２００５−１９８３８７号公報（段落００２２）
【発明の開示】
【発明が解決しようとする課題】
【０００４】
上記従来のインバータ装置では、電源の供給を停止する際や停電時に、駆動用電源の供給が停止するとともに制御信号の生成のためのパルス信号の出力も停止される。ただし、パルス信号の出力が停止しても平滑用のコンデンサに電荷が蓄電されいてるので、制御信号の電圧はしばらく低下しない。これに対して駆動用電源の電圧はより速い速度で低下する。
【０００５】
インバータ回路の出力段には複数のトランジスタが設けられているが、これらのトランジスタはスイッチングのために設けられているので飽和領域で作動するように設定されている。ところが、駆動用電源の電圧が低下するとトランジスタの作動状態が飽和領域から能動領域に遷移し、急激に電気抵抗が増加してトランジスタでの発熱量が多くなる。そのためこれらトランジスタが過熱破壊するおそれが生じる。
【０００６】
そこで本発明は、上記の問題点に鑑み、運転停止時や停電時にインバータ回路のトランジスタが過熱破壊することのないインバータ装置を提供することを課題とする。
【課題を解決するための手段】
【０００７】
上記課題を解決するために本発明によるインバータ装置は、マイコンから出力されるパルス信号をコンデンサで平滑して得られる制御信号をインバータ回路に入力し、この制御信号の電圧に応じてインバータ回路の出力を変更するインバータ装置において、インバータ回路に供給される駆動用電源電圧が所定の電圧以下に低下する前に上記コンデンサに蓄電されている電荷を放電させ、インバータ回路への制御信号の入力を停止させる放電手段を設けたことを特徴とする。
【０００８】
駆動用電源の電圧が所定の電圧以下に下がるとインバータ回路の最終段に設けられているトランジスタの作動状態が能動状態に遷移するおそれが生じる。そこで、その前に上記コンデンサの電荷を放電させることにより、制御信号の電圧をゼロにしてインバータ回路が作動しないようにした。
【０００９】
インバータ装置の作動を停止する際のほか不意の停電時にも上記トランジスタの過熱破壊の問題が生じる。そこで、ＡＣ商用電源を電源として用い、ＡＣ商用電源の電圧が所定の電圧まで低下したことを検知する電圧低下検知手段を設け、ＡＣ商用電源の電圧が所定の電圧まで低下すると上記コンデンサを放電させるように構成した。
【発明の効果】
【００１０】
以上の説明から明らかなように、本発明は、インバータ回路に供給される駆動用の電源の電圧が所定の電圧以下に下がる前に制御信号を平滑化しているコンデンサを放電させ、制御信号の電圧をゼロにすることによりインバータ回路の作動を停止させ、インバータ回路のトランジスタが過熱破壊することを防止することができる。
【発明を実施するための最良の形態】
【００１１】
図１を参照して、１は本発明によるインバータ装置である。このインバータ装置１内にはインバータ回路であるインバータＩＣ２が内蔵されている。このインバータＩＣ２には負荷である誘導モータ１１が接続されている。また、インバータＩＣ２には駆動用の電源として直流の１５Ｖ電源２１が接続されており、この１５Ｖ電源２１から供給される直流電力をインバータＩＣ２で交流電力に変換して誘導モータ１１に供給している。
【００１２】
誘導モータ１１に供給する交流電力の周波数は、制御信号生成部３で生成される直流の制御信号の電圧の高低によって制御されるように構成されている。この制御信号生成部３にはフォトカプラＰＣ１のフォトトランジスタが取り付けられており、このフォトトランジスタと対を成してフォトカプラＰＣ１の発光ダイオードがマイコン４に接続されている。
【００１３】
マイコン４は誘導モータ１１の回転速度を上げる、すなわちインバータＩＣ２から誘導モータ１１へ出力される交流電力の周波数を上げる場合には、マイコン４からフォトカプラ１を介して制御信号生成部３に送られるパルス信号のデューティ比を上げる。すると、そのパルス信号をコンデンサ３１で平滑化してインバータＩＣに入力する。
【００１４】
マイコン４にはその他のフォトカプラＰＣ２の発光ダイオードが接続されている。このフォトカプラＰＣ２の相手側であるフォトトランジスタは省エネのため待機電力を下げるために、使用しない状態では１５Ｖ電源２１を停止するものである。本発明では、このフォトカプラＰＣ２の相手側であるフォトトランジスタでトランジスタＴＲ１のベースをグランドに落とすように接続した。従って、インバータＩＣ２を作動させている状態では、マイコン４がフォトカプラＰＣ２のフォトトランジスタを常時ＯＮ状態にしてトランジスタＴＲ１をオフ状態に保持しておく。
【００１５】
なお、本インバータ装置１は電源として商用の１００Ｖ電源６を用いており、１００Ｖ電源６の電圧が所定の電圧以上であると、１００Ｖ電源６の周波数と同じ周波数のパルス信号がフォトカプラＰＣ３を介してマイコン４に入力される。一方、停電等により１００Ｖ電源６の電圧が所定の電圧より低下するとマイコン４にパルス信号が入力されなくなるので、マイコン４は停電等による１００Ｖ電源６の電圧低下を検知することができる。
【００１６】
以上の回路構成で、例えばインバータ装置１の作動を停止する際、図示しない停止ボタンが操作されると、停止操作がされたことをマイコン４が検知し、フォトカプラ１によるパルス信号の出力を停止する。これによりコンデンサ３１への充電が停止する。
【００１７】
そして、本発明ではさらに、フォトカプラ２のフォトトランジスタを同時にオフにする。すると、トランジスタＴＲ１のベースの電位が立ち上がり、トランジスタＴＲ１がＯＮ状態になる。そのためコンデンサ３１に蓄電されている電荷は抵抗５からトランジスタＴＲ１を通って放電される。この放電によりインバータＩＣ２に入力されている制御信号の電圧は瞬時にゼロになり、インバータＩＣ２の最終段のトランジスタが能動領域に遷移する前にインバータＩＣ２の作動を停止させることができる。
【００１８】
また、停止操作ではなく１００Ｖ電源６が停電した際にも、停電発生をマイコン４が検知すると上記と同様に、コンデンサ３１の電荷を放電させ、インバータＩＣ２の作動を直ちに停止させるようにした。
【００１９】
なお、本発明は上記した形態に限定されるものではなく、本発明の要旨を逸脱しない範囲内において種々の変更を加えてもかまわない。
【図面の簡単な説明】
【００２０】
【図１】本発明の一実施の形態の構成を示す回路図
【符号の説明】
【００２１】
１  インバータ装置
３  制御信号生成部
【図１】
0004854634.tif 000002